(57)【要約】      （修正有）【課題】大幅な軽量化を図ることができ、バッグに入れたり、釣用ベスト等の衣服のポケットにしまって携行する場合におけるユーザーの負担を低減することができる餌イクラ入り樹脂フィルムパッケージを提供する。【解決手段】餌用の粒状のイクラ４を可撓性を有する樹脂フィルム製袋２に封入してなる餌イクラ入り樹脂フィルムパッケージ１とするものである。【選択図】図１
0003208372.tif 000002
【実用新案登録請求の範囲】
【請求項１】
餌用の粒状のイクラを可撓性を有する樹脂フィルム製袋に封入してなる餌イクラ入り樹脂フィルムパッケージ。
【請求項２】
前記樹脂フィルム製袋には、開口部の密封／開封を繰り返し行える開閉機構が設けられる、
ことを特徴とする請求項１に記載の餌イクラ入り樹脂フィルムパッケージ。
【請求項３】
前記樹脂フィルム製袋は、マチを有しており、真空引きすることでマチ部分が圧縮されて厚みが薄い状態となって、パッケージ全体の厚みが抑えられる、
ことを特徴とする請求項１又は請求項２に記載の餌イクラ入り樹脂フィルムパッケージ。
【請求項４】
前記樹脂フィルム製袋には、壁フックなどの係止部材に引っ掛けるための貫通孔が設けられる、
ことを特徴とする請求項１乃至請求項３のいずれか一項に記載の餌イクラ入り樹脂フィルムパッケージ。
【請求項５】
前記樹脂フィルム製袋には、深さ方向の異なる複数箇所に切り込みノッチが設けられており、前記切り込みノッチの箇所において袋を分離できる、
ことを特徴とする請求項１乃至請求項４のいずれか一項に記載の餌イクラ入り樹脂フィルムパッケージ。
【請求項６】
前記樹脂フィルム製袋の少なくとも一部は透明とし、イクラの容量が視認可能である、
ことを特徴とする請求項１乃至請求項５のいずれか一項に記載の餌イクラ入り樹脂フィルムパッケージ。
【請求項７】
前記樹脂フィルム製袋の少なくとも一面には、他の物品に付着するための付着部が設けられる、
ことを特徴とする請求項１乃至請求項６のいずれか一項に記載の餌イクラ入り樹脂フィルムパッケージ。
【請求項８】
前記樹脂フィルム製袋内において、イクラが一層で略同一平面に配置されるように収容される、
ことを特徴とする請求項１乃至請求項７のいずれか一項に記載の餌イクラ入り樹脂フィルムパッケージ。
【考案の詳細な説明】
【技術分野】
【０００１】
本考案は、渓流釣りなどで餌（エサ）として用いられるイクラ（サケの魚卵）を封入したパッケージに関する。
【背景技術】
【０００２】
従来、ニジマス、アマゴ、イワナ、ヤマメなどを対象とする渓流釣りなどにおいて、イクラが餌として使用されている。この餌イクラは、直径５センチ、高さ５センチ程度の円筒形状のガラス瓶に缶蓋を取り付けてなる密閉容器に封入されて販売されているものが知られており、『瓶詰め餌イクラ』としても称され、主に釣具店において販売がされている。
【０００３】
他方、例えば、特許文献１に示されるように、鱈子や明太子等の魚卵をガスバリア性の高いフィルム在からなる密封容器に保存する技術が知られている。
【先行技術文献】
【特許文献】
【０００４】
【特許文献１】特開２００１−１６９７１８号公報
【考案の概要】
【考案が解決しようとする課題】
【０００５】
上記『瓶詰め餌イクラ』のユーザーにヒアリングなどしたところ、以下の課題が浮かび上がった。
まず、ガラス瓶そのものに重量があるため、バッグに入れると重量が増加し、釣用ベスト等の衣服のポケットにしまって携行する際には重みによってユーザーに負担をかけてしまう。また、３、４個同時に携行すると重みはもちろんのこと、ポケットが大きく膨らんだり、ポケットのマチが浅いと収納できないなどといった問題や、また、ガラス瓶同士がぶつかり合ってゴツゴツとするなどして身体が動作し難くなるといった問題が生じる。
【０００６】
また、ガラス瓶そのものに重量があるため、輸送する際にコストがかかってしまうことはもちろんのこと、ワレモノ扱いとなるため、輸送のコスト・手間を要するものであった。
【０００７】
また、円筒形状のガラス瓶であるため、その形状は変形することができず、バッグの隙間空間や、釣用ベスト、ズボン尻ポケットなどの狭い空間に差し込むようにして収容できないものであった。
【０００８】
また、ガラス瓶や缶蓋を用いるため、使用後に気軽に普通ゴミとして捨てることができず、分別廃棄に気を配らなければならなかった。また、使用後に持ち帰る際にも空のガラス瓶の割れを気をつけなければならず、さらには空容器でありながらも重量があるといった点で、ユーザーの負担が大きいものであった。
【０００９】
また、ガラス瓶は割れた状態で釣り場に放置されると、人が怪我をする恐れがある。また、割れたガラス片が釣り場の岩場や砂地に散乱した場合には、それを掃除して回収するために多くの手間がかかり、良好な釣り場を維持するためには、見回りや清掃など必要になって、人件費が嵩むことになる。また、掃除が困難であることから、釣り場や、川底に堆積することになり、自然環境に被害を及ぼすことになり、エコロジーの観点からも改善する必要があるといえる。
【００１０】
また、円筒形状のガラス瓶に缶蓋をしてなる容器形態において、直径５センチ、高さ５センチ程度の円筒であると、その容器表面は小さいものである。このため、商品説明などのディスプレイ用表面を確保することが難しく、容器表面において商品のＰＲ等のプロモーションが行い難いものであった。
【００１１】
また、瓶詰め容器は、商品棚や冷蔵庫などに陳列されて販売されているが、同様の形状をした他の多くの商品にまぎれてしまい、ディスプレイの観点から消費者に訴求し難いものであった。
【００１２】
また、瓶詰め容器の場合には、酸化防止も考慮し、内容物であるイクラを容器いっぱいに詰め込む必要があり、仮に、イクラの容量を少なくしようとすると、少量のイクラに対応して容量の小さなガラス瓶容器を準備しなければならないことになる。実際に使い切りのニーズがあり、例えば、２０ｇ、３０ｇ、５０ｇなどの容量を希望するユーザーも存在するが、これらの容量に応じてガラス瓶を準備して製造販売することは、製造側にとっての負担が大きいものとなる。また、季節に応じて一回で使用される量も異なる傾向もあり、少量から大量の幅広いニーズに応える必要もある。
【００１３】
他方、特許文献１では、図面において鱈子や明太子といった長さ数センチ〜十センチ程度のものを密封することが開示されている。しかしながら、明細書中には、文言としてイクラが開示されるものの、鱈子などの塊状の魚卵とは異なり、直径が５〜８ミリ程度の一粒一粒が分離するイクラを密封する具体的なパッケージングについては開示するものではなく、上述した課題について、動機付けとなるような記載や示唆も存在しない。
【００１４】
以上の課題に鑑み、本考案は、餌イクラの新規なパッケージを提案するものである。
【課題を解決するための手段】
【００１５】
本考案の解決しようとする課題は以上の如くであり、次にこの課題を解決するための手段を説明する。
【００１６】
即ち、請求項１に記載のごとく、餌用の粒状のイクラを可撓性を有する樹脂フィルム製袋に封入してなる餌イクラ入り樹脂フィルムパッケージとする。
【００１７】
また、請求項２に記載のごとく、前記樹脂フィルム製袋には、開口部の密封／開封を繰り返し行える開閉機構が設けられる、こととする。
【００１８】
また、請求項３に記載のごとく、前記樹脂フィルム製袋は、マチを有しており、真空引きすることでマチ部分が圧縮されて厚みが薄い状態となって、パッケージ全体の厚みが抑えられる、こととする。
【００１９】
また、請求項４に記載のごとく、前記樹脂フィルム製袋には、壁フックなどの係止部材に引っ掛けるための貫通孔が設けられる、こととする。
【００２０】
また、請求項５に記載のごとく、前記樹脂フィルム製袋には、深さ方向の異なる複数箇所に切り込みノッチが設けられており、前記切り込みノッチの箇所において袋を分離できる、こととする。
【００２１】
また、請求項６に記載のごとく、前記樹脂フィルム製袋の少なくとも一部は透明とし、イクラの容量が視認可能である、こととする。
【００２２】
また、請求項７に記載のごとく、前記樹脂フィルム製袋の少なくとも一面には、他の物品に付着するための付着部が設けられる、こととする。
【００２３】
また、請求項８に記載のごとく、前記樹脂フィルム製袋内において、イクラが一層で略同一平面に配置されるように収容される、こととする。
【考案の効果】
【００２４】
本考案に係る、『餌イクラ入り樹脂フィルムパッケージ』によれば、従来のガラス瓶を用いるものと比較して大幅な軽量化を図ることができ、バッグに入れたり、釣用ベスト等の衣服のポケットにしまって携行する場合におけるユーザーの負担を低減することができる。
【００２５】
また、樹脂フィルム製の袋状のパッケージにて構成することで、軽量化はもちろんのこと、ワレモノ扱いとせずに輸送できるため、輸送のコスト・手間を大幅に削減することができる。例えば、薄型の封筒に挿入して低廉なコストで郵送することも可能となり、特に、インターネット通信販売の形態において物流コストの負担を軽くできるなど、大きなメリットが得られる。
【００２６】
また、樹脂フィルム製の袋状のパッケージにて構成することで、イクラの一粒一粒が重ならないように一層に収容することもでき、パッケージの全体厚みを薄くすることで衣服のポケットを膨らませずに収容することが可能となり、マチの浅いポケットにも容易に収容できる。また、パッケージ同士がぶつかり合ってもゴツゴツすることがなく、複数のパッケージをポケットに重ねて収容して携行しても身体の動作に支障が生じることは無い。
【００２７】
また、樹脂フィルム製の袋状のパッケージにて構成することで、バッグの隙間空間や、釣用ベスト、ズボンの尻ポケットなどの狭い空間に差し込むようにして収容することができる。
【００２８】
また、樹脂フィルム製の袋状のパッケージにて構成することで、使用後には普通ゴミとして気軽に捨てることができる。また、使用後に持ち帰る際にも、他のゴミと一緒に気軽に持ち帰ることができ、ガラスでないため割れの心配も無く安全であり、さらには、重量も軽く折畳んでコンパクトにできるなど、多くの面でユーザーの負担を抑えることができる。
【００２９】
また、樹脂フィルム製の袋状のパッケージにて構成することで、ガラス瓶のように割れることが無いため、仮に釣り場で放置されたとしても、人が怪我をする恐れがなく、また回収や、その後の廃棄も容易であることから、良好な釣り場環境を維持することが容易となり、そのための人件費も抑えることができ、さらには、自然環境への被害も少なく、エコロジーの観点からも歓迎されることになる。
【００３０】
なお、釣具メーカーは釣人にマナー向上を啓蒙するとともに、より環境に優しい釣具類の開発に取組んでいる。例えば、オモリの沈下速度を速めるため材料に従来は比重が大きい鉛を採用していたが、昨今では鉄を樹脂でコーティングし流体力学を駆使した形状で沈下速度を上げたオモリの開発もなされている。また、釣場で切り捨てられた釣り糸に鳥類が絡まれて死に至たる、または糸に付いている釣針で怪我をするなどの被害を防ぐため、生分解性釣り糸の開発も進められている。このように、環境に対する意識の向上のトレンドがあり、本願の考案もこのトレンドに添うものであって、環境保護に貢献するものと確信するものである。
【００３１】
また、樹脂フィルム製の袋状のパッケージにて構成することで、パッケージの全面を商品説明などのディスプレイ用表面として使用することができ、容器表面において商品のＰＲを有効に行うことができる。加えて、例えば店舗の地図やＳＡＬＥ情報などの広告、釣り針・竿などの釣具の広告といったように、商品そのものとは異なる情報をパッケージ表面に表示することで、販促に役立てることもできる。また、釣り針や釣り糸などの試供品や販促品をパッケージに付帯させて提供することもできる。
【００３２】
また、樹脂フィルム製の袋状のパッケージにて構成することで、例えば、パッケージの上部にフックを通すための吊り下げ用孔を設け、店内のいたるところの壁や棚に吊り下げるようにして陳列することができ、ガラス瓶を展示する場合と異なった展示形態が可能となって、販売機会の増加を図ることができる。
【００３３】
また、樹脂フィルム製の袋状のパッケージにて構成することで、真空引きによるパッケージングを容易に行うことができるため、収容するイクラの量を自由に設定することができ、大量／中量／少量といったニーズに応えることができる。また、収容するイクラの量によらず同一のパッケージを利用することができるため、製造側にとっての負担も軽く済む。
【００３４】
また、樹脂フィルム製の袋状のパッケージにて構成することで、例えば、パッケージの大きさを釣り用ベストのポケットの大きさに合致するように設計することで、ポケットに収まり易く、取扱し易くすることができる。また、釣り用ベストの製造メーカーとのタイアップによりパッケージのデザインや大きさを設計することもでき、これにより、販促効果を得ることも可能となる。
【図面の簡単な説明】
【００３５】
【図１】餌イクラ入り樹脂フィルムパッケージの一実施形態について説明する図である。
【図２】イクラを一層にパッケージする状態について説明する図である。
【図３】吊り下げによるディスプレイについて説明する図である。
【図４】ディスプレイ表面としての利用方法について説明する図である。
【図５】樹脂フィルム製袋の他の実施例について説明する図である。
【図６】樹脂フィルム製袋を釣り用ベストに貼り付ける形態について説明する図である。
【考案を実施するための形態】
【００３６】
以下、本考案の実施形態について詳細に説明する。
図１（Ａ）（Ｂ）は、本考案に係る餌イクラ入り樹脂フィルムパッケージ１の一実施形態について示すものである。
図１（Ａ）（Ｂ）に示すように、可撓性を有する樹脂フィルム製袋２には、餌用の粒状のイクラ４,４が収容されている。樹脂フィルム製袋２は、本実施例では透明性を有する合成樹脂フィルムからなる袋容器で構成されており、開口部７には、密封／開封を繰り返し行える線状の開閉機構６が設けられている。樹脂フィルム製袋２内にイクラ４,４を充填した後に、真空引きを行いつつ開閉機構６を閉じることで、真空パックされた状態で保存される。
【００３７】
なお、合成樹脂フィルムはガスバリア性を有し、長期間イクラの酸化を防止できることとするものが好ましい。フィルムの厚みについては、可撓性を有する（撓む）ものであれば特に限定されるものではない。また、合成樹脂フィルムは透明性を有さないこととしてもよく、また、開閉機構６を設けずに開封のみ行えるものとしてもよい。
【００３８】
また、樹脂フィルム製袋２には、収容空間２２と、開封時に収容空間２２と連通させるマチ袋空間２４が設けられている。
収容空間２２には、イクラ４,４が収容される。マチ袋空間２４には、イクラ４,４が収容されておらず、真空引きがされる際にマチ袋空間２４の内側表面が密着した状態となる。開閉機構６を開封して空気が入り込むと、マチ袋空間２４に空気が入り込んで収容空間２２と連通し、マチ底２５が広げられて、マチ底２５にイクラ４,４が載せられた状態となる。
【００３９】
また、図２に示すように、各イクラ４の粒の周囲を覆うような液体５をイクラ４とともに収容することで、数多くあるイクラの粒が全体として流動性を持つようになり、パッケージの製造の際には、樹脂フィルム製袋２の上から軽く力を加え、イクラの粒の山が平らに広がるように伸ばすことで、イクラを容易に一層に配置することができる。
【００４０】
なお、液体５については、イクラ４が元来有する粘膜状の液体であってもよい。即ち、追加的に樹脂フィルム製袋２内に収容しなくても、イクラ４の粒の周囲を覆い流動性を確保できるものを利用することができる。或いは、イクラの品質を阻害せず保存に適した液体を追加的に添加することで実施することもできる。
【００４１】
また、この点について、パッケージの製造方法としては、樹脂フィルム製袋２に複数のイクラ４の粒と、イクラ４の周囲を覆いイクラ４の粒全体に流動性を持たせることが可能な液体５を収容する工程と、イクラ４の粒が一層に配置されるように樹脂フィルム製袋２の外側から荷重を加えてイクラ４の粒を広げる工程と、樹脂フィルム製袋２内の空気を真空引きする工程と、樹脂フィルム製袋２を密閉する工程と、を含む、餌イクラ入り樹脂フィルムパッケージの製造方法とすることができる。なお、外側から荷重を加えてイクラ４の粒を広げる変わりに、一定時間放置することで、イクラの自重により自然にイクラを広げることとしてもよい。
【００４２】
また、樹脂フィルム製袋２の上部には、図１（Ａ）に示すように吊り下げ用孔３２が設けられており、図３に示すように、この吊り下げ用孔３２に商品吊り下げ用のフック５５が通されることで、吊り下げるようにして商品陳列をすることができる。
【００４３】
また、図４に示すように、樹脂フィルム製袋２の大きさを、縦横１０数センチメートルとした場合には、その表面と裏面を面積の広いディスプレイ表面として利用することができる。これにより、例えば、表面には、商品のブランドロゴＳ１や、使用説明Ｓ２、バーコードＳ３を表示することができる。また、裏面には店舗の地図Ｍ１やＳＡＬＥ情報Ｍ２などの広告を表示することもできる。これらの表示は、シールで貼り付ける他、プリントにて設けることができる。また、余剰部分には、釣り針や釣り糸などの試供品や販促品をパッケージに付帯させて提供することもできる。さらに、樹脂フィルム製袋の裏面にチラシ封入用ポケットを設けることで、単なるイクラ容器という機能を越える情報提供のツールとして役立たせることができるものと考える。
【００４４】
また、以上の構成においては、樹脂フィルム製袋２に収容するイクラ４の量を自由に設定することができ、大量／中量／少量といったニーズに応えることができる。また、収容するイクラの量によらず同一のパッケージを利用することができるため、製造側にとっての負担も軽く済む。つまり、例えば、２０ｇ、４０ｇ、６０ｇといった任意の容量のイクラを計量し、樹脂フィルム製袋２に収容して密封し、容量にバリエーションをつけることで、顧客のニーズに対応することができる。
【００４５】
図５（Ａ）〜（Ｃ）は、別実施例の樹脂フィルム製袋６０について示すものである。なお、この図５（Ａ）〜（Ｃ）の構成の一部は、図１〜図４に示す構成と適宜組み合わせて実施することもできる。
【００４６】
図５（Ａ）〜（Ｃ）に示す樹脂フィルム製袋６０では、深さ方向の異なる二箇所の位置に切り込みノッチ６１,６２が設けられており、まずは浅い位置にある切り込みノッチ６１を用いて袋を開封することができる。また、イクラの量が減った際には、深い位置にある切り込みノッチ６２を用いて袋の中間部分６３を破り取ることができるように構成されている。
【００４７】
イクラ４の粒は直径が５ミリ前後で小さいため、イクラ４の量が減ってくると袋の奥底にあるイクラ４が指で摘み難くなる。この点に鑑み、切り込みノッチ６１の部分から切り込んで袋の中間部分６３を除去することで、袋の底が浅くなり、残り少なくなったイクラ４も容易に指で摘むことが可能となる。
【００４８】
また、袋の側面にマチ６５を設けることで、開封後は開口を広く開けることができ、袋内に指が入り易くなり、イクラ４をより摘み易くすることができる。
【００４９】
また、図６に示すように、樹脂フィルム製袋６０の裏面に、粘着シール７０,７０が設けられることとしてもよい。これにより、粘着シール７０,７０を釣り用ベスト７２の胸に直接貼り付けて使用することが可能となる。
【００５０】
なお、粘着シール７０,７０の代わりに、面ファスナを用い、釣り用ベスト７２側の面ファスナに取り付ける形態としてもよい。これによれば、釣り用ベストの製造メーカーとのタイアップによりパッケージのデザインや大きさを設計することもでき、これにより、販促効果を得ることも可能となる。
【００５１】
また、このように貼り付けることとする他、釣り用ベスト７２のポケットに収まるサイズで樹脂フィルム製袋６０を設計することも可能である。
【００５２】
以上のようにして本考案を実施することができる。
即ち、餌用の粒状のイクラを可撓性を有する樹脂フィルム製袋に封入してなる餌イクラ入り樹脂フィルムパッケージとするものである。
【００５３】
また、樹脂フィルム製袋には、開口部７の密封／開封を繰り返し行える線状の開閉機構６が設けられる、こととする。
これにより、使い切らずに残ったイクラを密封状態で保存することができる。
【００５４】
また、樹脂フィルム製袋は、マチを有しており、真空引きすることでマチ部分が圧縮されて厚みが薄い状態となって、パッケージ全体の厚みが抑えられることとする。
これにより、使用前は薄く持ち運びが便利である。また、図５（Ｃ）の構成では、使用時には広い開口部７によってイクラの出し入れを容易に行える。
【００５５】
また、樹脂フィルム製袋の上部には、壁フックなどの係止部材に引っ掛けるための貫通孔が設けられる、こととする。
これにより、壁や棚に吊り下げるようにして陳列することができ、ガラス瓶を展示する場合と異なった展示形態が可能となって、販売機会の増加を図ることができる。
【００５６】
また、樹脂フィルム製袋には、深さ方向の異なる複数箇所に切り込みノッチが設けられており、切り込みノッチの箇所において袋を分離できる、こととする。
これにより、必要に応じて袋を分離することで袋の底が浅くすることができ、残り少なくなったイクラを容易に指で摘むことが可能となる。
【００５７】
また、樹脂フィルム製袋の少なくとも一部は透明とし、イクラの容量が視認可能である、こととする。
これにより、樹脂フィルム製袋を開封しなくても内部のイクラの残量を容易に確認することができる。
【００５８】
また、樹脂フィルム製袋の少なくとも一面には、他の物品に付着するための付着部が設けられる、こととする。
これにより、例えば、付着部を粘着テープにて構成することで、釣り用ベストの表面に貼り付けて持ち運ぶことができる。
【００５９】
また、樹脂フィルム製袋内において、イクラが一層で略同一平面に配置されるように収容される、こととする。
これにより、パッケージの厚みをイクラの直径と略同一の寸法にすることができ、バッグの隙間空間や、釣用ベスト、ズボン尻ポケットなどの狭い空間に差し込むようにして収容することが可能となる。また、イクラを一層で配置することにより、美観的にも優れたパッケージングを実現することができる。なお、パッケージの製造の際には、樹脂フィルム製袋の上から軽く力を加え、イクラの粒の山が平らに広がるように伸ばすことで、容易に一層に配置することができる。このことは、鱈子などの塊状の魚卵と異なり、一粒一粒が独立したイクラならではの実施形態である。また、液体も封入することでイクラの粒が全体として流動性を持つようになり、より容易にイクラを一層に配置することができる。
【符号の説明】
【００６０】
１    餌イクラ入り樹脂フィルムパッケージ
２    樹脂フィルム製袋
４    イクラ
５    液体
６    開封機構
７    開口部
２２  収容空間
３２  吊り下げ用孔
【図１】
0003208372.tif 000003
【図２】
0003208372.tif 000004
【図３】
0003208372.tif 000005
【図４】
0003208372.tif 000006
【図５】
0003208372.tif 000007
【図６】
0003208372.tif 000008